(57)【特許請求の範囲】
【請求項１】
１階の外壁パネル上に床パネルを挟んで配置された柱の上部にパラペット部が支持され、このパラペット部に端部が支持されて、屋根中央部に向けて下方に傾斜する屋根が設けられた住宅であって、前記柱の内側に耐力壁が設けられ、前記柱と耐力壁との間にインナーバルコニーが設けられ、さらに、前記屋根が前記耐力壁によって支持され、前記柱が、前記インナーバルコニーの前面側及び側面側の周囲に沿って複数配設されるとともに、該柱の上端面に設けられる桁材によって各柱が連結され、前記桁材上に前記パラペット部が設けられていることを特徴とする住宅。
【請求項２】
請求項１記載の住宅において、前記耐力壁が壁パネルで構成されていることを特徴とする住宅。
【請求項３】
請求項１または２記載の住宅において、前記パラペット部と前記耐力壁との間に支持部材が架設され、この支持部材によって前記屋根が支持されていることを特徴とする住宅。
【請求項４】
請求項１〜３のいずれかに記載の住宅において、前記パラペット部を支持している柱間または該柱と住宅の外壁との間に、透光性を有する窓部が設けられていることを特徴とする住宅。
【請求項５】
請求項１〜４のいずれかに記載の住宅において、前記パラペット部に、庇が設けられていることを特徴とする住宅。
【発明の詳細な説明】
【０００１】
【発明の属する技術分野】
本発明は、無落雪屋根を備えた寒冷地仕様の住宅に係り、特に、インナーバルコニーを有するものに関する。
【０００２】
【従来の技術】
寒冷地においては、屋根上に積もった雪が下方へ落下するのを有効に防止するため、住宅の外壁部上部にパラペット部を設け、このパラペット部から屋根中央部に向けて下方に傾斜する屋根を設けたものが知られている。
そして、このような屋根を備えた住宅においては、屋根に積もった雪をパラペット部によって外方に落下するのをせき止めるとともに、屋根の傾斜に沿って屋根の中央部に向けて滑らせ、屋根の中央部から住宅内を通って垂下されたドレンパイプ等から排出するようにしている。
【０００３】
一方、一般的な軒先構造を有する住宅において、屋根の軒先部を柱で支持するとともに、該柱の内側にバルコニーを設けた、いわゆるインナーバルコニーを備えたものが知られている。
このような住宅では、バルコニーが住宅の外壁から突出しない構成であるので、住宅の外観がスッキリとしたものとなるとともに、屋根の軒先部を柱で支持しているために、屋根を外側に比較的大きく張り出すことができ、よって、比較的大きなバルコニーを形成することができるという利点がある。
【０００４】
【発明が解決しようとする課題】
そこで、上記のようなインナーバルコニーを、屋根中央部に向けて下方に傾斜するような屋根を有する寒冷地仕様の住宅に適用する場合、屋根には雪が積もった際に相当の荷重がかかるため、特に開放空間であるインナーバルコニー側においては、屋根の支持強度を十分に確保する必要がある。
【０００５】
本発明は上記事情に鑑みてなされたもので、インナーバルコニーが設けられた寒冷地仕様の住宅において、インナーバルコニー側において屋根の支持強度を十分に確保することができる住宅を提供することを目的としている。
【０００６】
【課題を解決するための手段】
上記目的を達成するために、本発明の住宅は、例えば図１および図２に示すように、柱２…によってパラペット部３が支持され、このパラペット部３に端部が支持されて、屋根中央部に向けて下方に傾斜する屋根２６が設けられた住宅であって、前記柱２…の内側に耐力壁２０を設け、前記柱２…と耐力壁２０との間にインナーバルコニー１を設け、さらに、前記屋根２６を前記耐力壁２０によって支持したものである。
【０００７】
前記柱２…によってパラペット部３を支持する場合、例えば、柱２…の上端面に桁材１０を設け、この桁材１０上にパラペット部３を設ける。また、耐力壁２０によって屋根２６を支持する場合、耐力壁２０の上端面に、上面が屋根の傾斜に合致した結合桁２５を固定し、この結合桁２５上に屋根２６を固定する。
【０００８】
請求項１の住宅にあっては、１階の外壁パネル上に床パネルを挟んで配置された柱の上部にパラペット部が支持され、このパラペット部に端部が支持されて、屋根中央部に向けて下方に傾斜する屋根が設けられた住宅であって、前記柱の内側に耐力壁が設けられ、前記柱と耐力壁との間にインナーバルコニーが設けられ、さらに、前記屋根が前記耐力壁によって支持され、前記柱が、前記インナーバルコニーの前面側及び側面側の周囲に沿って複数配設されるとともに、該柱の上端面に設けられる桁材によって各柱が連結され、前記桁材上に前記パラペット部が設けられていることを特徴としている。
【０００９】
請求項２の住宅は、請求項１において、前記耐力壁２０を壁パネルで構成したものである。
前記壁パネルは、例えば、桟材を矩形枠状に形成するとともに、その内部に補強桟材を縦横に組付けてなる枠体の両面に合板等からなる面材を貼着した構成とする。そして、この壁パネルを設置する場合、下階の耐力壁上、または耐力壁線に設置する。
ここで、耐力壁線とは、壁面を平面的に直線として見た壁線のうち、耐力壁を含むものをいい、この耐力壁線上には、例えば、前記壁パネルの他に、マグサや小壁等が配置される。
【００１０】
請求項２の住宅にあっては、耐力壁２０を壁パネルによって構成したので、特にパネル工法によって構築される住宅において、壁パネル２０を、下階の耐力壁線上に設置するだけで、耐力壁２０を容易に形成することができる。
【００１１】
請求項３の住宅は、例えば、図１および図２に示すように、請求項１または２において、前記パラペット部３と前記耐力壁２０との間に支持部材２３を架設し、この支持部材２３によっても前記屋根２６を支持したものである。
前記支持部材２３は、例えば、図６に示すように、前記柱２…と前記耐力壁２０との間にマグサ２４，２４を架設し、このマグサ２４，２４上に設けられ、上面が屋根の傾斜と合致する屋切パネル２３によって構成する。
【００１２】
請求項３の住宅にあっては、インナーバルコニー上の屋根２６の端部を柱２…によって支持し、これら柱２…の内側に設けられた耐力壁２０によって、屋根２６の端部より内側を支持し、さらに、柱２…と耐力壁２０との間の屋根２６の部位を支持部材２３によって支持しているので、インナーバルコニー側における屋根２６の支持強度をより十分に確保することができる。
【００１３】
請求項４の住宅は、図７に示すように、請求項１〜３のいずれかにおいて、前記パラペット部３を支持している柱間または該柱と住宅の外壁との間に、透光性を有する窓部３０を設けたものである。
この窓部３０は、例えば、サッシ枠３１と、このサッシ枠３１内に開閉自在にはめ込まれた引き違い戸３２であり、この引き違い戸３２にはガラスがはめ込まれている。
【００１４】
請求項４の住宅にあっては、インナーバルコニー１と外界とが窓部３０によって仕切られているので、この窓部３０を閉めることによって、インナーバルコニー１を居室としても利用することができる。
また、寒冷地において冬場は、前記窓部３０を閉めることによって、インナーバルコニー１を、外界と住宅内との間の熱伝達を遮断する空間として利用することができる。
【００１５】
請求項５の住宅は、図１および図２に示すように、請求項１〜４のいずれかにおいて、前記パラペット部３に庇２８を設けたものである。
請求項５の住宅にあっては、前記パラペット部３に庇２８を設けることによって、インナーバルコニー１の前面上方に庇２８が形成されるので、インナーバルコニー１への雨の降り込みを極力防止することができる。
【００１６】
【発明の実施の形態】
以下、図面を参照して本発明の住宅の実施の形態の一例について説明する。
図１は、本発明に係る住宅の一例を示すもので、インナーバルコニーの部分を示す要部の斜視図である。なお、この図に示す住宅はパネル工法によって構築されたものである。
図１に示す住宅においては、インナーバルコニー１側に、複数（６本）の柱２…が立設され、これら柱２…によってインナーバルコニー１側のパラペット部３が支持されている。
【００１７】
前記柱２…は、図２に示すように、１階の外壁を構成する外壁パネル４上に２階の床を構成する床パネル５を挟んで配置され、該柱２…は図示しない柱緊結金物と前記床パネル５を貫通する図示しないボルトによって、前記外壁パネル４上に固定されている。
また、互いに隣接する柱２，２間には、図１および図３に示すように、手摺壁６が設けられており、該手摺壁６の両側端部は、それぞれ柱２，２にスクリュー釘７…によって固定され、また、下端部は前記１階の壁パネル４から床パネル５を挿通された胴差ボルト８…によって固定されている。
【００１８】
前記６本の柱２…のうち、インナーバルコニー１の前面中央側の２本の柱２，２の上端部には、図４に示すように、互いに対向する側面に座掘り部が形成されており、これら座掘り部にはそれぞれ羽子板ボルト９が固定されている。
この羽子板ボルト９は、長方形板状をなす板部９ａと、この板部９ａから上方に延出する棒状のボルト部９ｂとから構成されており、板部９ａにはこれを前記座掘り部にスクリュー釘７によって固定するための固定孔が複数形成され、また前記ボルト部９ｂの上端部には、ナットを螺合するためのねじ部が形成されている。
【００１９】
また、前記インナーバルコニー１の前面両脇側に位置する２本の柱２，２の上端部には、インナーバルコニー１側を向く互いに隣接する側面にそれぞれ座掘り部が形成されており、これら座掘り部にはそれぞれ羽子板ボルト９が固定されている。
さらに、前記インナーバルコニー１の両側面奥側に位置する２本の柱２，２の上端部には、図３に示すように、インナーバルコニー１の前面側を向く側面に座掘り部が形成されており、これら座掘り部にはそれぞれ羽子板ボルト９が固定されている。
【００２０】
前記６本の柱２…の上端部間には、図１に示すように、桁材１０がインナーバルコニー１の周囲を廻すようにして設けられている。この桁材１０は、インナーバルコニー１の前面側に配設される３本の前桁１１…と、インナーバルコニー１の側面側に配設される２本の側桁１２，１２とを連接することによって構成されている。
前記３本の前桁１１…は、インナーバルコニー１の前面中央側の２本の柱２，２の上端面に設置されるとともに、該上端面上で互いに接合されている。
この接合は、図４および図５に示すように、前桁１１，１１どうしを突き合わせて接着剤１３で接合するとともに、スクリュー釘７…を前面側から斜め打ちすることによって、行われている。
【００２１】
また、インナーバルコニー１の前面中央側の２本の柱２，２と、該柱２，２に設置された前記前桁１１…との連結は、柱２，２の上端面と前桁１１…の下面とを接着材１３で接合するとともに、前桁１１，１１の互いに接合すべき端部に上下に貫通する貫通孔１１ａ，１１ａを形成し、該貫通孔１１ａ，１１ａに、前記羽子板ボルト９，９のボルト部９ｂ，９ｂを下方から挿通し、該ボルト部９ｂ，９ｂのねじ部に座金を外挿したうえで、ナット１４，１４を締め込み、さらに、前桁１１から柱２にスクリュー釘７…を斜め打ちすることによって、行われている。
なお、前記前桁１１，１１の互いに接合すべき端部には、その上面を切り欠いてなる切欠部１１ｂ，１１ｂが形成されており、該切欠部１１ｂ，１１ｂによって前記貫通孔１１ａ，１１ａに挿通されたボルト部９ｂ，９ｂの上端部が、前桁１１，１１の上面から突出しないようになっている。
【００２２】
また、前記側桁１２，１２は、図４および図５に示すように、インナーバルコニー１の前面両脇の２本の柱２，２の上端面に設置されるとともに、該上端面上で前記前桁１１，１１に接合されている。この接合は、前桁１１の端面と、側桁１２の端部内側面を切り欠いてなる切欠面とを突き合わせて接着剤１３で接合するとともに、スクリュー釘７…を側桁１２から前桁１１に打ち込むことによって、行われている。
【００２３】
さらに、インナーバルコニー１の前面両脇の２本の柱２，２と、該柱２，２に設置された前記前桁１１，１１と、側桁１２，１２との連結は、柱２，２の上端面と前桁１１，１１および側桁１２，１２の下面とを接着材１３で接合するとともに、前桁１１，１１の端部に上下に貫通する貫通孔１１ａ，１１ａを形成するとともに、側桁１２，１２の端部に上下に貫通する貫通孔１２ａ，１２ａを形成し、これら貫通孔１１ａ，１２ａに、前記羽子板ボルト９，９のボルト部９ｂ，９ｂを下方から挿通し、該ボルト部９ｂ，９ｂのねじ部に座金を外挿したうえで、ナット１４，１４を締め込み、さらに、前桁１１および側桁１２から柱２にスクリュー釘７…を斜め打ちすることによって、行われている。
なお、前記前桁１１および側桁１２の互いに接合すべき端部には、その上面を切り欠いてなる切欠部１１ｂ，１２ｂが形成されており、該切欠部１１ｂ，１２ｂによって前記貫通孔１１ａ，１２ａに挿通されたボルト部９ｂ，９ｂの上端部が、前桁１１および側桁１２の上面から突出しないようになっている。
【００２４】
また、前記側桁１２の他方の端部は、図１に示すように、インナーバルコニー１の側面奥側の柱２の上端面に設置され、上記の場合と同様に、接着剤、スクリュー釘、羽子板ボルト等によって柱２に連結され、さらに、側桁１２の端面は住宅の外壁に接合されている。
【００２５】
前記のように構成された桁材１０上には、前記パラペット部３が設けられている。このパラペット部３は、図１に示すように、インナーバルコニー１の前面側に配置された３枚のパラペットパネル１５…と、インナーバルコニー１の側面側に配置された２枚のパラペットパネル１６，１６とで構成されている。
前記パラペットパネル１５は、桟材を矩形枠状に組んでなる枠体の両面に合板等の面材を貼付して形成されたもので、パラペットパネルどうしは、その側端面どうしを突き合わせて接着剤によって接着するとともに、スクリュー釘を一方のパラペットパネル１５から他方のパラペットパネル１５に斜め打ちすることによって接合されている。
【００２６】
また、前記パラペットパネル１６も、前記パラペットパネル１５と同様に、桟材を矩形枠状に組んでなる枠体の両面に合板等の面材を貼付して形成されたもので、該パラペットパネル１６は、その前端面を前記パラペットパネル１５の内側面に突き当てて接着剤によって接着するとともに、パラペットパネル１５からパラペットパネル１６にスクリュー釘を打ち込むことによって、パラペットパネル１５に接合されている。
なお、前記パラペットパネル１６はその前部の下面が前記側桁１２上に設置され、後部の下面は住宅の外壁を構成する外壁パネル上に設置されている。
【００２７】
さらに、前記パラペットパネル１５と前記前桁１１との接合部およびパラペットパネル１６と前記側桁１２との接合部、つまり、パラペット部３と桁材１０との接合部は、図１および図２い示すように、接着剤によって接着されるとともに、桁材１０（パラペット部３）の前面側から取付けた合板ガセット１７および裏面側から取付けた鋼製ガセット１８によって接合されている。
【００２８】
また、前記柱２…の内側には、図１および図２に示すように、インナーバルコニー１と住宅内の居室とを仕切る壁部２０が設けれている。
この壁部２０は耐力壁であり、複数の壁パネルを接合することによって構成されている。
前記壁パネルは、桟材を矩形枠状に形成するとともに、その内部に補強桟材を縦横に組付けてなる枠体の両面に合板等からなる面材を貼着して構成されたもので、該壁パネルを複数接合して前記耐力壁２０を構成する場合、インナーバルコニー１と居室との間の出入りを行うための開口部を形成するようにする。なお、この開口部にはサッシ等の建具をはめ込む。
【００２９】
さらに、前記耐力壁２０は、２階の床パネル５を支持するマグサ２１上に該床パネル５を挟んで設置され、胴差ボルト８によって床パネル５に連結されている。また、耐力壁２０の両側端部は、前記パラペットパネル１６，１６および住宅の外壁に、接着、（スクリュー）釘打ち等によって接合されている。
【００３０】
また、前記パラペット部３と前記耐力壁２０との間には屋切パネル（支持部材）２３が設けられている。
すなわち、まず図６に示すように、前記インナーバルコニー１の前面中央側の２本の柱２，２の上端部と前記耐力壁２０との間には、２本のマグサ２４，２４が架設されている。該マグサ２４は、柱２の上端部側面と、耐力壁２０の壁面にそれぞれ固定された図示しない受金物に支持されている。
そして、受金物に支持されたマグサ２４，２４上に、図１および図２に示すように、前記屋切パネル２３，２３が接合され、さらに該屋切パネル２３，２３の前端面は前記パラペットパネル１５の内面に接合され、後端面は耐力壁２０に接合されている。
なお、前記屋切パネルは、上面が屋根の傾斜と合致するもので、桟材を台形状に組んでなる枠体の両面に合板等の面材を貼付して構成されている。
【００３１】
また、前記耐力壁２０の上面には、図１および図２に示すように、結合桁２５が接着、釘打ち等によって接合されている。
この結合桁２５は、上面が屋根の傾斜に合致したもので、この結合桁２５の上面に屋根２６が当接固定されている。
前記屋根２６は、複数の屋根パネルを接合することによって構成されたもので、その端部は、前記パラペットパネル１５の上端内面に固定された結合材２７によって支持固定されている。
【００３２】
したがって、前記屋根２６は、前記インナーバルコニー１上において、端部がパラペットパネル１５を介して柱２…によって支持され、かつ屋根２６の端部より内側が、前記柱２…の内側に設けられた耐力壁２０によって支持されることになり、また、柱２…を、インナーバルコニー１の前面側及び側面側の周囲に沿って複数配設するとともに、柱２…の上端面に設けられる桁材１０によって各柱２…を連結し、桁材１０上にパラペット部３を設けているので、インナーバルコニー１側の屋根２６の端部周囲が柱２…及び桁材１０によって支持されることになり、さらに、前記柱２…と耐力壁２０との間の屋根２６の部位を屋切パネル２３、２３によって支持しているので、インナーバルコニー側における屋根の支持強度を十分に確保することができる。
【００３３】
また、前記パラペット部３には、図１および図２に示すように、庇２８が取付けられている。したがって、インナーバルコニー１の前面上方に、庇２８が形成されることになるので、インナーバルコニー１への雨の降り込みを極力防止することができる。
【００３４】
さらに、前記パラペット部３を支持している柱間には、図７に示すように、窓部３０…が設けられている。この窓部３０は、サッシ枠３１と、このサッシ枠３１内に開閉自在にはめ込まれた引き違い戸３２で構成されており、この引き違い戸３２には透光性を有するガラスがはめ込まれている。
したがって、この窓部３０を閉めることによって、インナーバルコニ１ーを居室としても利用することができる。
また、寒冷地において冬場は、前記窓部３０を閉めることによって、インナーバルコニー１を、外界と住宅内との間の熱伝達を遮断する空間として利用することができる。
【００３５】
【発明の効果】
以上説明したように、本発明の住宅は、１階の外壁パネル上に床パネルを挟んで配置された柱の上部にパラペット部が支持され、このパラペット部に端部が支持されて、屋根中央部に向けて下方に傾斜する屋根が設けられた住宅であって、
パラペット部を支持する柱の内側に耐力壁を設け、該柱と耐力壁との間にインナーバルコニーを設け、さらに、前記パラペット部に端部が支持されて、屋根中央部に向けて下方に傾斜する屋根を前記耐力壁によって支持し、前記柱を、前記インナーバルコニーの前面側及び側面側の周囲に沿って複数配設するとともに、該柱の上端面に設けられる桁材によって各柱を連結し、前記桁材上に前記パラペット部を設けたものであるから、インナーバルコニー上の屋根の端部と、この端部より内側を、それぞれ柱と耐力壁とによって支持することができ、さらに、インナーバルコニー側の屋根の端部周囲が柱及び桁材によって支持されることとなって、インナーバルコニー側における屋根の支持強度を十分に確保することができる。
【００３６】
請求項２の住宅は、請求項１において、前記耐力壁を壁パネルで構成したものであるから、特にパネル工法によって構築される住宅において、壁パネルを、下階の耐力壁線上に設置するだけで、耐力壁を容易に形成することができる。
【００３７】
請求項３の住宅は、請求項１または２において、前記パラペット部と前記耐力壁との間に支持部材を架設し、この支持部材によって前記屋根を支持したものであるから、インナーバルコニー側における屋根の支持強度をより十分に確保することができる。
【００３８】
請求項４の住宅は、請求項１〜３のいずれかにおいて、前記パラペット部を支持している柱間または該柱と住宅の外壁との間に、透光性を有する窓部を設けたものであるから、この窓部を閉めることによって、インナーバルコニーを居室としても利用することができる。
また、寒冷地において冬場は、前記窓部を閉めることによって、インナーバルコニーを、外界と住宅内との間の熱伝達を遮断する空間として利用することができる。
【００３９】
請求項５の住宅は、請求項１〜４のいずれかにおいて、前記パラペット部に庇を設けたものであるから、インナーバルコニーの前面上方に庇が形成されることになり、よって、インナーバルコニーへの雨の降り込みを極力防止することができる。
【図面の簡単な説明】
【図１】本発明の住宅の一例を示すもので、インナーバルコニーの部分を示す要部の斜視図である。
【図２】同、インナーバルコニーの部分を示す要部の側断面図である。
【図３】同、インナーバルコニーの柱を立てた状態を示す要部の斜視図である。
【図４】同、柱と桁材とを接合している状態を示す要部の斜視図である。
【図５】同、柱と桁材とを接合した状態を示す要部の斜視図である。
【図６】同、インナーバルコニーを示す要部の平面図である。
【図７】同、窓部が設けられたインナーバルコニーの部分を示す要部の斜視図である。
【符号の説明】
１  インナーバルコニー
２  柱
３  パラペット部
１０  桁材
１１  前桁
１２  側桁
１５，１６  パラペットパネル
２０  耐力壁
２３  屋切パネル（支持部材）
２６  屋根
２８  庇
３０  窓部
【図１】
0003647129.tif 000002
【図２】
0003647129.tif 000003
【図３】
0003647129.tif 000004
【図４】
0003647129.tif 000005
【図５】
0003647129.tif 000006
【図６】
0003647129.tif 000007
【図７】
0003647129.tif 000008